(57)【要約】【課題】本発明は、装置本体内に水が浸入するのを抑制した画像形成装置を提供することを目的とする。【解決手段】本発明のレーザプリンタ１は、装置本体２と、装置本体２の上面を構成するトップカバー２１と、装置本体２に対して開位置と閉位置との間で回動可能に支持され、閉位置に配置されたときに縁２２Ａがトップカバー２１の縁２１Ａに沿って配置されるフロントカバー２２と、トップカバー２１の縁２１Ａとフロントカバー２２の縁２２Ａの境界の下に配置される溝１１０と、を備える。【選択図】図３
2015096917.tif 000002
【特許請求の範囲】
【請求項１】
装置本体と、
前記装置本体の上面を構成するトップカバーと、
前記装置本体に対して開位置と閉位置との間で回動可能に支持され、前記閉位置に配置されたときに縁が前記トップカバーの縁に沿って配置される開閉カバーと、
前記トップカバーの縁と前記開閉カバーの縁の下に配置される溝と、を備えることを特徴とする画像形成装置。
【請求項２】
前記溝は、
前記開閉カバーの回動軸方向外側に向かうにつれ低くなる第１傾斜面を有することを特徴とする請求項１に記載の画像形成装置。
【請求項３】
前記装置本体は、画像形成部を支持するフレームを備え、
前記溝は、前記開閉カバーの回動軸方向において前記フレームの内側から前記フレームの外側まで延びていることを特徴とする請求項１または請求項２に記載の画像形成装置。
【請求項４】
前記フレームを覆い、前記装置本体の側面を構成するサイドカバーを備え、
前記溝は、前記回動軸方向において前記サイドカバーよりも外側まで延びていることを特徴とする請求項３に記載の画像形成装置。
【請求項５】
前記開閉カバーは、前記装置本体の側面の一部を構成するカバー側面を有し、
前記カバー側面は、前記回動軸方向において、前記溝と前記サイドカバーの一部を覆うことを特徴とする請求項４に記載の画像形成装置。
【請求項６】
前記開閉カバーの下方に配置され、前記装置本体に対して着脱可能な給紙トレイを備え、
前記給紙トレイは、前記装置本体の側面の一部を構成するトレイ側面を有し、
前記トレイ側面は、前記カバー側面の下方に配置され、前記回動軸方向において前記サイドカバーの一部を覆うことを特徴とする請求項５に記載の画像形成装置。
【請求項７】
前記装置本体に設けられた開口から着脱可能なカートリッジを備え、
前記開閉カバーは、前記開口を開閉可能であることを特徴とする請求項１から請求項６のいずれか１項に記載の画像形成装置。
【請求項８】
前記開閉カバーは、前記装置本体の上面の一部を構成するカバー上面を有し、
前記カートリッジは、前記カバー上面と前記トップカバーの境界の下に配置されたことを特徴とする請求項７に記載の画像形成装置。
【請求項９】
前記溝を構成する水受け部材を備え、
前記水受け部材は、上方を向く前記溝の底面と、当該底面の裏側の下面とを有し、
前記底面は、少なくとも一部に前記トップカバーと前記開閉カバーとの並び方向において前記トップカバー側から前記開閉カバー側に向かうにつれ上方に位置するように傾斜する第２傾斜面を有し、前記下面は、少なくとも一部に前記並び方向において前記トップカバー側から前記開閉カバー側に向かうにつれ上方に位置するように傾斜する第３傾斜面を有することを特徴とする請求項７または請求項８に記載の画像形成装置。
【請求項１０】
前記開閉カバーに回動可能に支持された延長トレイと、
前記トップカバーと前記開閉カバーとの並び方向において前記溝の底の前記開閉カバー側から立ち上がる壁と、を備え、
前記壁は、前記延長トレイに対応する位置がその他の位置よりも低いことを特徴とする請求項１から請求項９のいずれか１項に記載の画像形成装置。
【請求項１１】
前記溝の底は、前記延長トレイに対応する位置がその他の位置よりも下方に凹んでいることを特徴とする請求項１０に記載の画像形成装置。
【請求項１２】
前記溝は、前記トップカバーに設けられたことを特徴とする請求項１から請求項１１のいずれか１項に記載の画像形成装置。
【請求項１３】
前記溝は、前記開閉カバーに設けられたことを特徴とする請求項１から請求項１１のいずれか１項に記載の画像形成装置。
【発明の詳細な説明】
【技術分野】
【０００１】
本発明は、開閉カバーを備えた画像形成装置に関する。
【背景技術】
【０００２】
従来、装置本体の前部において回動可能に支持された開閉カバーを備えた画像形成装置が知られている（特許文献１参照）。この画像形成装置では、開閉カバーを閉じたときに、開閉カバーの縁が装置本体のトップカバーの縁と合うように構成されている。
【先行技術文献】
【特許文献】
【０００３】
【特許文献１】特開２００６−３３７５７０号公報
【発明の概要】
【発明が解決しようとする課題】
【０００４】
ところで、特許文献１の構成だと、開閉カバーの縁とトップカバーの縁が合う境界に隙間が形成されるので、この境界に水がかかってしまった場合には、この隙間から装置本体内に水が浸入してしまうおそれがあった。
【０００５】
そこで、本発明は、装置本体内に水が浸入するのを抑制した画像形成装置を提供することを目的とする。
【課題を解決するための手段】
【０００６】
前記した目的を達成するため、本発明の画像形成装置は、装置本体と、前記装置本体の上面を構成するトップカバーと、前記装置本体に対して開位置と閉位置との間で回動可能に支持され、前記閉位置に配置されたときに縁が前記トップカバーの縁に沿って配置される開閉カバーと、前記トップカバーの縁と前記開閉カバーの縁の下に配置される溝と、を備える。
【０００７】
このような構成によれば、トップカバーの縁と開閉カバーの縁の境界から水が浸入してきても、溝が水を受けることで装置本体内に水が浸入するのを抑制することができる。
【０００８】
前記した構成において、前記溝は、前記開閉カバーの回動軸方向外側に向かうにつれ低くなる第１傾斜面を有する構成とすることができる。
【０００９】
このような構成によれば、第１傾斜面により、溝に入った水を軸方向外側に流しやすくできる。
【００１０】
前記した構成において、前記装置本体が画像形成部を支持するフレームを備える場合には、前記溝は、前記開閉カバーの回動軸方向において前記フレームの内側から前記フレームの外側まで延びている構成とすることができる。
【００１１】
このような構成によれば、溝内の水をフレームの外側に排出しやすく、フレーム内に水が浸入するのを抑制することができる。
【００１２】
前記した装置本体がフレームを備える構成において、前記画像形成装置が前記フレームを覆い、前記装置本体の側面を構成するサイドカバーを備える場合には、前記溝は、前記回動軸方向において前記サイドカバーよりも外側まで延びている構成とすることができる。
【００１３】
このような構成によれば、溝内の水をサイドカバーの外側に水を排出することができる。
【００１４】
前記したサイドカバーを備える構成において、前記開閉カバーは、前記装置本体の側面の一部を構成するカバー側面を有し、前記カバー側面は、前記回動軸方向において、前記溝と前記サイドカバーの一部を覆う構成としてもよい。また、この構成における画像形成装置が、前記開閉カバーの下方に配置され、前記装置本体に対して着脱可能な給紙トレイを備える場合には、前記給紙トレイは、前記装置本体の側面の一部を構成するトレイ側面を有し、前記トレイ側面は、前記カバー側面の下方に配置され、前記回動軸方向において前記サイドカバーの一部を覆う構成としてもよい。
【００１５】
前記した画像形成装置が前記装置本体に設けられた開口から着脱可能なカートリッジを備える場合には、前記開閉カバーは、前記開口を開閉可能である構成とすることができる。また、この構成において、前記開閉カバーは、前記装置本体の上面の一部を構成するカバー上面を有し、前記カートリッジは、前記カバー上面と前記トップカバーの境界の下に配置された構成としてもよい。
【００１６】
前記したカートリッジを備える構成において、前記画像形成装置が前記溝を構成する水受け部材を備える場合、前記水受け部材は、上方を向く前記溝の底面と、当該底面の裏側の下面とを有し、前記底面は、少なくとも一部に前記トップカバーと前記開閉カバーとの並び方向において前記トップカバー側から前記開閉カバー側に向かうにつれ上方に位置するように傾斜する第２傾斜面を有し、前記下面は、少なくとも一部に前記並び方向において前記トップカバー側から前記開閉カバー側に向かうにつれ上方に位置するように傾斜する第３傾斜面を有する構成とすることができる。
【００１７】
このような構成によれば、開口が、外側に向かうにつれ上に広くなるので、溝の全てが傾斜していない構成と比較して、カートリッジを着脱しやすくできる。
【００１８】
前記した画像形成装置が前記開閉カバーに回動可能に支持された延長トレイと、前記トップカバーと前記開閉カバーとの並び方向において前記溝の底の前記開閉カバー側から立ち上がる壁と、を備える場合には、前記壁は、前記延長トレイに対応する位置がその他の位置よりも低い構成とすることができる。また、この構成において、前記溝の底は、前記延長トレイに対応する位置がその他の位置よりも下方に凹んでいる構成とすることができる。
【００１９】
このような構成によれば、溝の壁の低い位置に延長トレイが収納されるので、延長トレイを開閉カバーに設けても装置本体を低くすることができる。また、このようにすると、溝の壁の低い位置において、溝に入った水が溢れる可能性があるが、上記した構成によれば、延長トレイに対応する位置における溝の深さを壁の高さに合わせて深くすることで、溝に入った水を溢れにくくすることができる。
【００２０】
前記した構成において、前記溝は、前記トップカバーに設けられていてもよいし、前記開閉カバーに設けられていてもよい。
【発明の効果】
【００２１】
本発明によれば、装置本体内に水が浸入するのを抑制することができる。
【図面の簡単な説明】
【００２２】
【図１】本発明の実施形態に係るレーザプリンタの断面図である。
【図２】フロントカバーを閉じた状態のレーザプリンタを上から見た斜視図である。
【図３】フロントカバーを開いた状態のレーザプリンタを上から見た斜視図である。
【図４】レーザプリンタの分解斜視図である。
【図５】図３における溝部分の拡大図である。
【図６】図１におけるＡ−Ａ断面図であって、レーザプリンタの内部構成を簡略化した図である。
【図７】レーザプリンタのフロントカバーを開いた状態を示す断面図である。
【図８】図７の溝部分の拡大図である。
【図９】変形例に係るレーザプリンタの水受け部材部分を示す拡大断面図である。
【発明を実施するための形態】
【００２３】
次に、本発明の第１実施形態について、適宜図面を参照しながら詳細に説明する。なお、以下の説明では、まず、画像形成装置の一例としてのレーザプリンタ１の概略構成について説明した後、本発明の特徴部分について説明する。
【００２４】
なお、以下の説明において、方向は、レーザプリンタ１を使用するユーザを基準にした方向で説明する。すなわち、図１における右側を「前」、左側を「後」とし、手前側を「左」、奥側を「右」とする。また、図１における上下方向を「上下」とする。
【００２５】
＜レーザプリンタの概略構成＞
図１に示すように、レーザプリンタ１は、用紙Ｐの両面に画像形成が可能に構成されており、装置本体２内に、給紙部３と、画像形成部４と、排出部７と、反転部８とを主に備えている。
【００２６】
図２、図３に示すように、装置本体２は、トップカバー２１と、開閉カバーの一例としてのフロントカバー２２と、サイドカバー２３とを備えている。装置本体２は、その前部に前方に開放した開口２４が設けられている。
【００２７】
トップカバー２１は、装置本体２の上部に設けられ、装置本体２の上面の略全体を構成している。トップカバー２１の前側の縁２１Ａは、左右方向に沿って延びている。図３に示すように、トップカバー２１は、前側の縁２１Ａに連続して水受け部材１００が設けられている。
【００２８】
フロントカバー２２は、装置本体２の前側に設けられており、装置本体２のフレーム２５に対して開位置（図３の位置）と閉位置（図２の位置）との間で回動可能に支持されている。これにより、フロントカバー２２は、装置本体２の開口２４を開閉可能になっている。
【００２９】
図２に示すように、フロントカバー２２は、閉位置に配置されたとき、装置本体２の上面の一部（前側部分）を構成するカバー上面２２Ｃと、装置本体２の前面の一部（上部分）を構成するカバー前面２２Ｄと、装置本体２の側面の一部（前側上部分）を構成するカバー側面２２Ｅとを有している。
【００３０】
カバー上面２２Ｃの後側の縁２２Ａは、フロントカバー２２の回動軸方向である左右方向に沿って延びており、フロントカバー２２が閉位置に配置されたとき、トップカバー２１の縁２１Ａに沿って配置されるようになっている。カバー側面２２Ｅは、下端部分２２Ｆがそれ以外の部分よりも左右方向内側に位置している（図６参照）。これにより、フロントカバー２２が閉位置に配置されたとき、カバー側面２２Ｅの下端部分２２Ｆが後述する給紙トレイ３１の内側に入り込むようになっている。
【００３１】
また、フロントカバー２２は、上面の左右方向中央において延長トレイ２２Ｂを回動可能に支持している（図１も参照）。延長トレイ２２Ｂは、閉じたときにおいてカバー上面２２Ｃと略同じ高さになるように収納されている。
【００３２】
サイドカバー２３は、装置本体２の側面を構成している。図３に示すように、サイドカバー２３は、フロントカバー２２を閉位置に配置したときに前側部分２３Ａがフロントカバー２２のカバー側面２２Ｅ及び給紙トレイ３１（後述するトレイ側面３１Ｃ）に覆われるように、前側部分２３Ａがそれ以外の部分よりも左右方向内側に位置している。
【００３３】
また、図３、図４に示すように、装置本体２は、画像形成部４（後述する露光装置４０及びプロセスカートリッジ５０）を支持するフレーム２５を備えている。フレーム２５は、サイドカバー２３に覆われている。
【００３４】
図１に示すように、給紙部３は、画像形成部４に用紙Ｐを供給するための構成であり、装置本体２内の下部に設けられている。この給紙部３は、給紙トレイ３１と、用紙押圧板３２と、ピックアップローラ３３と、分離ローラ３４と、分離パッド３５と、搬送ローラ対３６と、レジストローラ対３７と、供給経路３８とから主に構成されている。
【００３５】
給紙トレイ３１は、図４に示すように、用紙Ｐを載置可能に形成された載置部３１Ａを有している。また、給紙トレイ３１は、載置部３１Ａの前側に設けられたトレイ前面３１Ｂとトレイ側面３１Ｃを有している。
【００３６】
トレイ前面３１Ｂは、カバー前面２２Ｄの下方に配置され、装置本体２の前面の一部（下部分）を構成している。トレイ側面３１Ｃは、カバー側面２２Ｅの下方に配置され、装置本体２の側面の一部（前側下部分）を構成している。トレイ側面３１Ｃは、サイドカバー２３の前側部分２３Ａの下側を覆っている。
【００３７】
図１に示すように、給紙トレイ３１に載置された用紙Ｐは、用紙押圧板３２によってピックアップローラ３３に寄せられ、ピックアップローラ３３によって供給経路３８に送り出される。送り出された用紙Ｐは、分離ローラ３４と分離パッド３５によって１枚ずつ分離され、搬送ローラ対３６によって搬送される。そして、用紙Ｐは、レジストローラ対３７によって斜行を補正されて、画像形成部４に向けて搬送される。
【００３８】
画像形成部４は、給紙された用紙Ｐに画像を形成するための構成であり、給紙トレイ３１の上方に設けられている。この画像形成部４は、露光装置４０と、カートリッジの一例としてのプロセスカートリッジ５０と、定着装置６０とを主に備えている。
【００３９】
露光装置４０は、装置本体２内の上部に設けられ、図示しないレーザ発光部と、回転駆動するポリゴンミラー４１と、レンズ４２と、反射鏡４４とを主に備えている。レーザ発光部から出射された画像データに基づくレーザ光（鎖線参照）は、ポリゴンミラー４１、レンズ４２、反射鏡４４の順に反射または通過して、感光体ドラム５１の表面で高速走査される。
【００４０】
プロセスカートリッジ５０は、露光装置４０の下方に配置され、装置本体２に設けられたフロントカバー２２を開いたときにできる開口２４から装置本体２に対して着脱可能に構成されている（図３参照）。このプロセスカートリッジ５０は、感光体ドラム５１と、帯電器５２と、転写ローラ５３と、現像ローラ５４と、供給ローラ５５と、現像剤の一例としてのトナーを収容するトナー収容部５６とを主に備えている。なお、プロセスカートリッジ５０の前端は、前述したカバー上面２２Ｃとトップカバー２１の境界の下に配置されている。
【００４１】
定着装置６０は、プロセスカートリッジ５０の後方に設けられ、加熱ローラ６１と、加熱ローラ６１と対向配置されて加熱ローラ６１を押圧する加圧ローラ６２とを備えている。
【００４２】
画像形成部４では、感光体ドラム５１の表面が、帯電器５２により一様に帯電された後、露光装置４０からのレーザ光の高速走査によって露光されることで、感光体ドラム５１上に静電潜像が形成される。また、トナー収容部５６内のトナーは、供給ローラ５５を介して現像ローラ５４に供給され、現像ローラ５４上に担持される。
【００４３】
そして、現像ローラ５４上に担持されたトナーが、感光体ドラム５１上の静電潜像に供給されることで、静電潜像が可視像化され、感光体ドラム５１上にトナー像が形成される。その後、給紙部３から供給された用紙Ｐが、感光体ドラム５１と転写ローラ５３の間を搬送されることで、感光体ドラム５１上のトナー像が用紙Ｐ上に転写される。次いで、用紙Ｐが加熱ローラ６１と加圧ローラ６２の間を搬送されることで、用紙Ｐ上に転写されたトナー像が熱定着される。
【００４４】
排出部７は、トナー像が熱定着された用紙Ｐを装置本体２の外部に向けて搬送するための構成であり、排出経路７１と、搬送ローラ７２と、排出ローラ７３とから主に構成されている。
【００４５】
排出経路７１は、定着装置６０から搬出された用紙Ｐを湾曲させながら排紙トレイ２１Ｂに向けて案内する経路である。
【００４６】
排出ローラ７３は、排出経路７１の出口付近に設けられており、公知の制御によって正逆回転可能に構成されている。詳細に、排出ローラ７３は、正回転時に用紙Ｐを装置本体２の外部に向けて排出し、逆回転時に用紙Ｐを反転部８に搬送するように構成されている。
【００４７】
排出部７では、画像が形成されて画像形成部４から排出された用紙Ｐ（実線参照）は、進路を後斜め上向きから前方に湾曲させながら排出ローラ７３に向けて搬送される。そして、片面のみに画像を形成する場合や両面への画像形成が終了した場合には、用紙Ｐは、装置本体２の上部に配置された排紙トレイ２１Ｂへと排出される。なお、排紙トレイ２１Ｂは、トップカバー２１と、フロントカバー２２の延長トレイ２２Ｂ（前側に倒した状態）により構成されている。
【００４８】
一方、両面に画像を形成する場合には、用紙Ｐは、まず正回転する排出ローラ７３によって装置本体２の外部に向けて搬送される。そして、用紙Ｐの全体が装置本体２の外部に完全に排出される前に排出ローラ７３が逆回転することで、再度装置本体２内に引き込まれ、反転部８に搬送される（破線参照）。
【００４９】
反転部８は、用紙Ｐの両面に画像を形成するときに、表裏が反転された用紙Ｐを再び画像形成部４に向けて搬送するための構成であり、再搬送経路８１と、再搬送ローラ対８２，８３とから主に構成されている。
【００５０】
再搬送経路８１は、排出ローラ７３の逆回転により一面に画像が形成された用紙Ｐを供給経路３８に向けて案内する経路である。より詳細に、再搬送経路８１は、排出経路７１の後端付近から分岐し、下方に延び、進路を前方へ湾曲させて給紙トレイ３１の上を後から前方に向けて延び、後側の再搬送ローラ対８２を通過して前側の再搬送ローラ対８３まで延びている。さらに、再搬送経路８１は、前側の再搬送ローラ対８３から進路を上方へ湾曲させて供給経路３８の合流位置にＵターンして合流するように形成されている。
【００５１】
反転部８では、排出ローラ７３の逆回転によって搬送された用紙Ｐ（破線参照）は、再搬送経路８１を搬送され、再び供給経路３８に送り出されて画像形成部４に搬送される。その後、用紙Ｐ（実線参照）は、画像形成部４において裏面に画像が形成され、排出部７によって装置本体２の外部に排出されて排紙トレイ２１Ｂ上に載置される。
【００５２】
＜水受け部材＞
次に、水受け部材１００について説明する。
水受け部材１００は、トップカバー２１と一体に構成されており、トップカバー２１とフロントカバー２２の境界の下に配置された溝１１０を有している。
【００５３】
図５、図６に示すように、溝１１０は、左右方向（フロントカバー２２の回動軸方向）においてフレーム２５の内側からサイドカバー２３の前側部分２３Ａの外側まで延びている。別の言い方をすると、溝１１０は、上から見てサイドカバー２３と重なる位置よりも外側まで延びており、最も外側の外側位置Ｐ１がサイドカバー２３の前側部分２３Ａより外側に位置している（図６参照）。溝１１０は、第１壁１２０と、第２壁１３０と、壁の一例としての第３壁１４０とから構成されている。
【００５４】
第１壁１２０は、溝１１０の後側の側壁であり、トップカバー２１の縁２１Ａから下方に延びている。
【００５５】
第２壁１３０は、溝１１０の底を構成する壁であり、第１壁１２０の下端から前方に延びている。第２壁１３０は、上方を向く溝１１０の底面１３１と、底面１３１の裏側の下面１３２（図６参照）とを有している。
【００５６】
図６に示すように、底面１３１は、左右方向両端側における延長トレイ２２Ｂに対応しない位置に配置された一対の第１傾斜面１３１Ａと、左右方向中央における延長トレイ２２Ｂに対応する位置に配置された第２傾斜面１３１Ｂ（図７も参照）と、第１傾斜面１３１Ａと第２傾斜面１３１Ｂの間に配置された一対の第４傾斜面１３１Ｃとを有している。
【００５７】
なお、ここでいう延長トレイ２２Ｂに対応する位置は、上下方向から見て延長トレイ２２Ｂと重なる位置の他、当該位置に左右に隣接する位置を含む。
【００５８】
第１傾斜面１３１Ａは、第４傾斜面１３１Ｃとの境界である内側位置Ｐ２から左右方向外側の外側位置Ｐ１に向かうにつれ低くなるように構成されている。これにより、溝１１０に水が入った場合でも水が第１傾斜面１３１Ａを伝って左右外側に流れるようになっている。
【００５９】
図７、図８に示すように、第２傾斜面１３１Ｂは、内側位置Ｐ２よりも左右内側に配置され、前後方向（トップカバー２１とフロントカバー２２との並び方向）において後側（トップカバー２１側）から前側（フロントカバー２２側）に向かうにつれ上方に位置するように傾斜している。
【００６０】
図８に示すように、第４傾斜面１３１Ｃは、第１傾斜面１３１Ａと第２傾斜面１３１Ｂを接続しており、第１壁１２０の前面１２０Ａ、第１傾斜面１３１Ａ及び第２傾斜面１３１Ｂに囲まれた三角形状の面である。第４傾斜面１３１Ｃは、第２傾斜面１３１Ｂと接続される辺のうち最も下の下端位置Ｐ３から左右外側にいくにつれて上方に位置するように傾斜している。
【００６１】
このように傾斜することで、第２傾斜面１３１Ｂ及び第４傾斜面１３１Ｃの下端位置Ｐ３は、第１傾斜面１３１Ａの内側位置Ｐ２よりも下方に位置している。つまり、第２壁１３０は、延長トレイ２２Ｂに対応する位置がその他の位置、つまり、上下方向から見て延長トレイ２２Ｂと重なる位置の左右に隣接する位置よりも左右方向外側の位置よりも下方に凹んでいる。
【００６２】
下面１３２は、第２傾斜面１３１Ｂの裏側に第３傾斜面１３２Ａを有している。
第３傾斜面１３２Ａは、第１傾斜面１３１Ａと同様に、前後方向において後側から前側に向かうにつれ上方に位置するように傾斜している。これにより、第３傾斜面１３２Ａの位置において、開口２４が外側に向かうにつれ上に広くなっている。
【００６３】
図５に示すように、第３壁１４０は、溝１１０の前側の側壁であり、前後方向において第２壁１３０の前側から立ち上がっている。第３壁１４０は、図６に示すように、左右方向中央における延長トレイ２２Ｂに対応する位置に配置された中央壁１４１と、延長トレイ２２Ｂに対応しない位置であって、中央壁１４１の左右方向外側の位置に配置された外側壁１４２とから構成されている。
【００６４】
中央壁１４１は、外側壁１４２よりも低くなっている。つまり、第３壁１４０は、延長トレイ２２Ｂに対応する位置がその他の位置（延長トレイ２２Ｂに対応しない位置）よりも低くなるように構成されている。これにより、第３壁１４０の延長トレイ２２Ｂに対応する位置が下方に凹んでいるので、その凹んだ位置に延長トレイ２２Ｂを収納できるようになっている。
【００６５】
中央壁１４１は、左右方向において、前述した第２傾斜面１３１Ｂが配置されている範囲の内側に設けられている。より詳細に、中央壁１４１は、下端位置Ｐ３よりも左右方向内側に設けられている。このように中央壁１４１に対応する位置に第２傾斜面１３１Ｂがあるので、中央壁１４１周辺における溝１１０の深さが確保されている。
【００６６】
また、中央壁１４１は、その上端の位置が、底面１３１の最も高い位置である内側位置Ｐ２よりも高くなっている。これにより、第２傾斜面１３１Ｂの位置に水が溜まっても、中央壁１４１から水が溢れる前に第１傾斜面１３１Ａ側に流れるようなっている。
【００６７】
以上のように構成されたレーザプリンタ１の作用効果について説明する。
図２に示すように、フロントカバー２２を閉じると、トップカバー２１の前側の縁２１Ａと、カバー上面２２Ｃの縁２２Ａが合わされた状態になる。ここで、レーザプリンタ１の上面に水がかかった場合、トップカバー２１とフロントカバー２２の境界から装置本体２内に水が浸入するおそれがある。しかし、本実施形態では、図５に示すように、トップカバー２１とフロントカバー２２の境界の下に水受け部材１００の溝１１０が配置されているので、当該境界から浸入した水を水受け部材１００により受けることができる。従って、トップカバー２１とフロントカバー２２の境界から水が浸入してきても、装置本体２内に水が浸入するのを抑制することができる。
【００６８】
図６に示すように、溝１１０内に入った水は、第１傾斜面１３１Ａを伝って左右方向外側に流れる。そして、水は、そのまま左右方向外側に流れてサイドカバー２３の外側に排出される。その後、排出された水は、サイドカバー２３とフロントカバー２２のカバー側面２２Ｅ及び給紙トレイ３１のトレイ側面３１Ｃとの間を通って、装置本体２の外側に排出される。従って、トップカバー２１とフロントカバー２２の境界から水が浸入しても、水受け部材１００により装置本体２の外側に水を排出することができる。
【００６９】
また、溝１１０の第３壁１４０の下方に凹んだ位置に、延長トレイ２２Ｂが収納されるので、延長トレイ２２Ｂをフロントカバー２２に設けても装置本体２を低くすることができる。ところで、第３壁１４０における中央壁１４１の位置がそれ以外の位置より低くなるので、溝１１０の中央に入った水が中央壁１４１の上から溢れる可能性がある。しかし、本実施形態では、中央壁１４１周辺における溝１１０の深さが確保されているので、溝１１０の中央に浸入した水を溢れにくくすることができる。
【００７０】
また、第２壁１３０の延長トレイ２２Ｂに対応する位置が下方に凹んでいるので、その部分に水が溜まっていくが、水が溝１１０の外に溢れる前に第１傾斜面１３１Ａにより、左右外側に流れるので、水が溝１１０の外に溢れる前に装置本体２の外側に排出することができる。
【００７１】
また、図７に示すように、フロントカバー２２を開いて、プロセスカートリッジ５０を着脱しようとするときに、水受け部材１００があることにより、開口２４が狭くなる。しかし、本実施形態では、第３傾斜面１３２Ａの位置で開口２４が外側に向かうにつれ上に広くなるので、水受け部材の全てが傾斜していない構成と比較して、プロセスカートリッジ５０を着脱しやすくできる。
【００７２】
以上、本発明の実施形態について説明したが、本発明は前記実施形態に限定されるものではない。具体的な構成については、本発明の趣旨を逸脱しない範囲で適宜変更が可能である。
【００７３】
前記実施形態では、水受け部材１００がトップカバー２１と一体に設けられていたが、本発明はこれに限定されず、トップカバー２１やフロントカバー２２とは独立した部材であってもよいし、図９に示すように、フロントカバー２２と一体に設けられていてもよい。
【００７４】
この構成における水受け部材２００は、トップカバー２１とフロントカバー２２の境界の下に溝２１０を有している。溝２１０は、フロントカバー２２において、トップカバー２１の前側の縁２１Ａと合う位置よりも少し前側の下面から下方に延びる第１壁２２０と、第１壁２２０の下端から後側に延びる第２壁２３０と、第２壁２３０の後端から上方に延びる第３壁２４０とから構成されている。このような構成であっても、トップカバー２１とフロントカバー２２の境界から水が浸入してきても、水受け部材２００で水を受けることで、装置本体２内に水が浸入するのを抑制することができる。
【００７５】
前記実施形態では、第３壁１４０の中央壁１４１が外側壁１４２よりも低くなっていたが、本発明はこれに限定されず、これらが同じ高さであってもよい。
【００７６】
前記実施形態では、溝１１０の第２壁１３０が左右方向中央の位置で下方に凹んでいたが、本発明はこれに限定されず、凹んでいなくてもよい。
【００７７】
前記実施形態では、フロントカバー２２が延長トレイ２２Ｂを有していたが、本発明はこれに限定されず、延長トレイ２２Ｂを有していなくてもよい。
【００７８】
前記実施形態では、溝１１０の第２壁１３０において、延長トレイ２２Ｂに対応する位置において第２傾斜面１３１Ｂと第３傾斜面１３２Ａを有していたが、本発明はこれに限定されず、溝１１０の全体においてこれらの傾斜面を有していてもよいし、これらの傾斜面を有していなくてもよい。
【００７９】
前記実施形態では、溝１１０がサイドカバー２３の左右外側まで延びていたが、サイドカバー２３の左右外側まで延びていなくてもよい。
【００８０】
前記実施形態では、フロントカバー２２がカバー上面２２Ｃを有していたが、本発明はこれに限定されず、カバー上面２２Ｃを有していなくもよい。
【００８１】
前記実施形態では、カートリッジの一例としてプロセスカートリッジ５０を例示したが、本発明はこれに限定されず、プロセスカートリッジから着脱可能な現像カートリッジやトナーカートリッジであってもよい。
【００８２】
前記各実施形態では、画像形成装置としてモノクロのレーザプリンタ１を例示したが、本発明はこれに限定されず、例えばカラープリンタや複合機など、その他の画像形成装置であってもよい。
【符号の説明】
【００８３】
１      レーザプリンタ
２      装置本体
４      画像形成部
２１    トップカバー
２１Ａ  縁
２２    フロントカバー
２２Ａ  縁
２２Ｂ  延長トレイ
２３    サイドカバー
２４    開口
２５    フレーム
５０    プロセスカートリッジ
１００  水受け部材
１１０  溝
１３０  第２壁
１３１  底面
１３１Ａ  第１傾斜面
１３１Ｂ  第２傾斜面
１３２  下面
１３２Ａ  第３傾斜面
１４０  第３壁
【図１】
2015096917.tif 000003
【図２】
2015096917.tif 000004
【図３】
2015096917.tif 000005
【図４】
2015096917.tif 000006
【図５】
2015096917.tif 000007
【図６】
2015096917.tif 000008
【図７】
2015096917.tif 000009
【図８】
2015096917.tif 000010
【図９】
2015096917.tif 000011